(57)【要約】      （修正有）【課題】起伏自在であるだけでなく、起立した状態でツリーなど丈の高い形象物を形成するようにぐんぐんと３次元形状に伸長でき、３６０度いずれの方向からも出来上がった形象物を見て楽しむことができ、しかも、通常では小さく扁平に折り畳むことができる立体・扁平化自在なカードや玩具を提供する。【解決手段】ベース１と、ベースに対して屈折・起立自在に連結された脚部２と、前記脚部に対して屈折・起立自在に連結されて上方に延びる芯柱部４と、芯柱部４を外囲するとともに上端が芯柱部に連結され、芯柱部の高さ方向で移動可能な可縮性の装飾部体５を備えている。【選択図】図２
0003107621.tif 000002
【実用新案登録請求の範囲】
【請求項１】
ベースと、ベースに対して屈折・起立自在に連結された脚部と、前記脚部に対して屈折・起立自在に連結されて上方に延びる芯柱部と、前記芯柱部を外囲するとともに上部が芯柱部に連結され、芯柱部の高さ方向で移動可能な可縮性の装飾部体を備えていることを特徴とする立体・扁平化自在なカード。
【請求項２】
脚部が係止用部を備えた天片を有し、装飾部体がこれを展張させたときに前記天片の係止用部に係合可能な係止用部を下面に有している請求項１に記載の立体・扁平化自在なカード。
【請求項３】
装飾部体が複数の単位装飾部体からなり、各単位装飾部体は上下方向で展伸、収縮可能な中空状可縮性本体と、該本体の下面に接合された硬質片を有しており、上位の単位装飾部体の硬質片に下位の単位装飾部体の中空状可縮性本体が接続されている請求項１または２に記載の立体・扁平化自在なカード。
【請求項４】
脚部が、直方体状をなす枠状体と、枠状体の内部に配され、下部隅に下端が位置し、自由端が枠状体の対角線上の上部隅に臨む斜片と、一端が斜片の下端近傍の枠状体下端部位に連結され、中間が斜片の長さ方向に沿い、他端が斜片の自由端に対応する枠状本体の上端部位に連結された弾性部材からなっている請求項１ないし３のいずれかにに記載の立体・扁平化自在なカード。
【請求項５】
ベースと、ベースに対して屈折・起立自在に連結された脚部と、前記脚部に対して屈折・起立自在に連結されて上方に延びる芯柱部と、前記芯柱部を外囲するとともに上部が芯柱部に連結され、芯柱部の高さ方向で移動可能な可縮性の装飾部体を備えていることを特徴とする立体・扁平化自在な紙製の玩具。
【考案の詳細な説明】
【技術分野】
【０００１】
本考案は立体・扁平化自在なカードおよび玩具に関する。
【背景技術】
【０００２】
クリスマス、バレンタインデー、年賀、暑中見舞い、各種記念日などの祝意を表す手段として、グリーティングカードが盛んに用いられているが、通常では、扁平なカード基材に印刷を施したものであるので、インパクトに乏しいうらみがあった。
【０００３】
このため、ポップアップ型のカードが種々考案され実用化されているが、前後方向に階段状に変容するものが多く、高さ方向に立体化するタイプでは、せいぜい一定の形状をなし高さの固定されたカード本体がカードベース部に対して起伏可能になっているにとどまり、起立した状態でさらに伸長して形状が大きく変化するように立体化できるタイプのものがなかった。
【特許文献１】実用新案登録第３０７００７８号
【考案の開示】
【考案が解決しようとする課題】
【０００４】
本考案は前記のような問題点を解消するためになされたもので、その目的とするところは、起伏自在であるだけでなく、起立した状態でツリーなど丈の高い形象物を形成するようにぐんぐんと３次元形状となって伸長し、３６０度いずれの方向からも出来上がった形象物を見て楽しむことができ、しかも、通常では小さく扁平に折り畳むことができる立体・扁平化自在なカードを提供することにある。
また本考案の目的は、通常では小さく扁平であるが、袋などから取り出すと第１段の立体化が行われ、さらに簡単な操作でツリーなどの丈の高い形象物に変化する立体・扁平化自在な玩具を提供することにある。
【課題を解決するための手段】
【０００５】
上記目的を達成するため本考案のカードは、ベースと、ベースに対して屈折・起立自在に連結された脚部と、前記脚部に対して屈折・起立自在に連結されて上方に延びる芯柱部と、前記芯柱部を外囲するとともに上部が芯柱部に連結され、芯柱部の高さ方向で移動可能な可縮性の装飾部体を備えていることを特徴としている。
【０００６】
また、本考案の玩具は、ベースと、ベースに対して屈折・起立自在に連結された脚部と、前記脚部に対して屈折・起立自在に連結されて上方に延びる芯柱部と、前記芯柱部を外囲するとともに上部が芯柱部に連結され、芯柱部の高さ方向で移動可能な可縮性の装飾部体を備えていることを特徴としている。
【考案の効果】
【０００７】
本考案によるときには、ベースに対して脚部が屈折・起立自在であり、脚部の天端に芯柱部が屈折・起立自在に連結されており、装飾部体が芯柱部に対して相対移動可能であるとともに可縮性を有しているので、使用前では扁平で小型な形態に折り畳むことができ、包装もかさばらず、封筒に装てんして郵便での送付なども容易に行うことができる。
使用時には、ベースに対して脚部を直角状に起立させ、脚部上で芯柱部を直立させ、高さ方向で縮んで扁平状態にある装飾部体を芯柱部に沿って下げるといった簡単な操作で装飾部体が大きく高さを増し、全体がツリーやタワーなどの立体形状に変化する。
したがって、包装時と大きさ、形状の変化が極めて大きく、マジックのような興趣を創成でき、完成後は３６０度の角度から創成された立体形状を眺めることができる。したがって、ユニークで商品価値の高いグリーティングカードや玩具とすることができる。
【考案を実施するための最良の形態】
【０００８】
脚部が係止用部を備えた天片を有し、装飾部体がこれを展張させたときに前記天片の係止用部に係合可能な係止用部を下面に有している。
これによれば、天片があるため芯柱部の安定性がよく、かつ装飾部体を芯柱部に対して移動させれば、係止用部同士の係合によって装飾部体の立体化された形状をしっかりと固定することができる。
【０００９】
装飾部体が複数の単位装飾部体からなり、各単位装飾部体は上下方向で展伸、収縮可能な中空状可縮性本体と、該本体の下面に接合された硬質片を有しており、上位の単位装飾部体の硬質片に下位の単位装飾部体の中空状可縮性本体が接続されている。
これによれば、装飾部体が多段状に伸長するので無理がかからず、またツリーなどの多段形状によくマッチした形態を創成することができる。
【００１０】
脚部は直方体状をなす枠状体と、枠状体の内部に配され、下部隅に下端が位置し、自由端が枠状体の対角線上の上部隅に臨む斜片と、一端が斜片の下端近傍の枠状体下端部位に連結され、中間が斜片の長さ方向に沿い、他端が斜片の自由端に対応する枠状本体の上端部位に連結された弾性部材からなっている。
これによれば、包装体あるいは封筒などから本案品を取り出すと、扁平状態の脚部が、弾性部材の張力で平行四辺形から直方体に自動的に変化して直立する。このときに斜片が枠状体の対角線上の上部隅に当接ないし接近するので、筋交い効果により脚部がみだりに崩れず、装飾部体の伸長操作時および完成品となったときにも、ぐらつかないしっかりとした樹立状態を形成できる。
【実施例１】
【００１１】
以下添付図面を参照して本考案の実施例を説明する。
図１ないし図１０は本考案を適用したグリーティングカードあるいは玩具の一実施例を示している。
図６と図７は包装状態を示し、図８〜１０は使用時の形態変化を示している。
１は使用時にテーブルなどに載置され、カードとして使用するときにはカード本体として機能するベースであり、厚紙（２枚重ねしたものを含む。以下同じ）や硬質プラスチックシートなどからなり、図１のように上面には「Merry Christmas」などの所望のグリーティング表示１００を有しており、図４のように下面には所望のメッセージを記載できる自由欄１０１を有している。本考案が、玩具である場合には、そうした表示や自由欄は特に要しない。
【００１２】
２は前記ベース部１の中央部に下面をもって固定され、９０度程度屈折・起立自在な脚部であり、この例では、図２のように、前記脚部２は上端に脚部２よりも面積の大きい天片３を有している。
４は厚紙などにより作られた比較的長い芯柱部であり、図２のように、下端が前記天片３の略中央部位すなわち脚部と直列状にしかも９０度程度屈折・起立自在に連結されている。
５は伸縮可能な装飾部体であり、図２のように前記芯柱部４を囲繞しかつ芯柱部４に沿って移動自在となっており、頂部の内面が前記芯柱部４の天端に連結固定されている。
【００１３】
各部を詳しく説明すると、脚部２は図２と図５に示されており、帯状の厚紙を屈曲して直方体状をなすように構成した枠状体２ａと、枠状体２ａのひとつの下部隅に下端が位置し、自由端が枠状体２ａの対角線上の上部隅に臨む筋交い用の斜片２ｂと、一端が斜片２ｂの下端近傍に対応する枠状体下端部位に連結され、中間が斜片２ｂの長さ方向に沿い、他端が斜片２ｂの自由端に対応する枠状体２ａの上端部位に連結された弾性部材２ｃからなっている。
斜片２ｂは全長が対角線の長さとほぼ同等であり、下端はカード本体１に傾動可能に連結している。
【００１４】
弾性部材２ｃはたとえば輪ゴムからなり、前記枠状体下端部位の幅方向端縁に設けた切り込みを介して端部２０が係止され、次いで斜片２ｂの表面に平行に中間部分２１、２１が沿わされ、斜片２ｂの中間部位幅方向端縁に設けた切り込みを介して斜片２ｂの背面に導かれ、そのまま平行に沿わされた後、枠状体２ａの上端部位幅方向端縁に設けた切り込みを介して端部２２が係止されている。
したがって、弾性部材２ｃの対角線上に働く張力により枠状体２ａは常態において直方体状となるように付勢されている。枠状体２ａは、枠状体２ａを側面から押圧することにより、弾性部材２ｃの付勢力に抗して図５（ｂ）のように斜片２ｂの自由端が対角の隅から離間して平行四辺形状になり、さらに斜片２ｂをサンドイッチ状にして扁平化し、ベース１の上に重ねられるようになっている。
【００１５】
天片３は芯柱部４を安定して支えるとともに、装飾部体５の伸長状態を固定する手段として用いられる。このため、天片３には、図２、図５、図８、図９に示すように、上縁部など所要の位置に係止用部３ａ、３ａを設けている。
この係止用部３ａ、３ａは、たとえば感圧性の接着テープ類でもよいが、繰り返し使用に好適なように、この実施例ではベルベットファスナを用いている。この例では同時にたとえばツリーの幹を表現し得るようになっている。
【００１６】
芯柱部４は帯状の厚紙あるいは硬質なプラスチック片を長尺の直方体状をなすように屈曲して構成した枠状体４ａと、枠状体４ａの内面に両側部分が接合された１つ以上の補強片４ｂとを備えている。
枠状体４ａの下端は脚部２この例では天片３に連なり、図２の直方体状から、図８の平行四辺形状を経て、図６と図７のように上下面が重なって天片上に接触し得るようになっている。
【００１７】
装飾部体５は、この例では、全体として、もみの木をイメージさせるべく、３つの単位装飾部体５ａ、５ｂ、５ｃを上下方向でつないで構成されている。
各単位装飾部体５ａ、５ｂ、５ｃは、和紙、シュリンク加工した洋紙、柔軟な合成樹脂フイルム、布などを使用し、上下方向でじゃばらのように展伸したり縮んだりすることが可能な中空状可縮性本体５０と、該本体の下面に接合された硬質片５１を有しており、上位の単位装飾部体５ａ（５ｂ）の硬質片５１に下位の単位装飾部体５ｂ（5ｃ）の中空状可縮性本体５０が上縁をもって接合されている。
単位装飾部体５ａ、５ｂ、５ｃは平面的な大きさが最上位のものがもっとも小さく、最下位のものがもっとも大きくなっている。
【００１８】
前記各硬質片５１の中央部にはガイド用の開口５１０が設けられており、それら開口５１０、５１０，５１０を通して前記芯柱部４が最上位の単位装飾部体５ａに至るまで貫挿され、芯柱部４における枠状体４ａの頂部４０が、最上位の単位装飾部体５ａの天端を構成している硬質で小さな天板５２の下面に接合連結されている。
最下位の単位装飾部体５ｃはフリーな状態となっており、したがって、単位装飾部体５ａ、５ｂ、５ｃは通常では、図８のように折重なった状態にあり、最下位の単位装飾部体５ｃを引っ張ることにより、中空状可縮性本体５０にガイドされて図９のように中空状可縮性本体５０が伸長し始め、最終的に図１，２のよう名立体形状に変容する。
そして、立体化状態を安定的に固定するため、最下位の単位装飾部体５ｃの硬質片５１には、図３のように、前記天片３の係止用部３ａ、３ａに対応する係止用部５１１，５１１が取り付けられている。
【００１９】
前記単位装飾部体５ａ、５ｂ、５ｃの中空状可縮性本体５０には、所望の図柄や文字などの装飾が施され、また、吊糸などを介して星形などの副装飾片５２が取り付けられている。また、この例では、重合固定された芯柱部４の天端４０と、単位装飾部体５ａの硬質天板５２にスリット５３が設けられ、これに星形状などをなした天飾り片５５が挿通され、内部の延長片５５０が屈曲されて芯柱部４の天端付近に接合されている。
【００２０】
本考案においては、脚部２が図５（ｂ）のように直立状から９０度倒れ、ベース１に接触するまで平坦化でき、芯柱部４も、脚部２に対して直立状から９０度倒れて脚部２の天面に接触するまで平坦化できる。このときの屈折は、脚部２の倒れ方向が時計方向であれば、芯柱部４は反時計方向とする。
また、装飾部体５は、最上位の単位装飾部体５ａに重なるように偏平化され、この状態で平坦化した芯柱部４の天端近くで芯柱部４に乗るように重なる。
このため、図６と図７のように全体がコンパクトな偏平状態になり、定型封筒などの包装袋Ｈに容易に装てんして郵送可能であり、販売のための展示もかさばらず容易である。
【００２１】
前記状態から本案品を取り出せば、脚部２の弾性部材２ｃの対角線上に働く張力により、枠状体２ａが平坦な状態から、図８のように平行四辺形状に変化し、最終的に図５（ａ）のように直方体状となる。このときに斜片２ｂの自由端が枠状体２ａの上端隅に接触ないし近接するので、筋交い作用により剛性が増し、しっかりした直立状態が形成される。
【００２２】
図５のように芯柱部４は脚部２に重なるかあるいは脚部２の前記挙動で幾分平行四辺形状に立体化し、装飾部体５は、その芯柱部４の先端付近で傘のようになっている。
そこで次に芯柱部４を垂直状に起立させれば、装飾部体５は芯柱部と同心状になるので、図９のように最下位の単位装飾部体５ｃを手でつまんで下方に引っ張れば、単位装飾部体５ａ、５ｂ、５ｃは芯柱部４にガイドされつつ各中空状可縮性本体５０が縮んだ状態から伸ばされ、高さが大きく増大した立体形状になる。
【００２３】
こうして装飾部体５を展張させ、最終的に最下位の単位装飾部体５ｃを脚部２の天片３に接近させれば、図１０のように、硬質片５１の係止用部５１１，５１１が天片３の係止用部３ａ、３ａと接して連結される。
したがって、スプリング作用で装飾部体５が持ち上がったり、縮んだりしない、しっかりした立体化状態に固定される。これが、図１と図２の状態である。
この完成状態では、装飾部体５が包装時と異なる背の高い立体状態となるので、３６０度の各方向から眺めて楽しむことができる。
【００２４】
しまう時には、最下位の単位装飾部体５ｃと脚部２の天片３との連結を解き、装飾部体５を持ち上げて単位装飾部体５ａ、５ｂ、５ｃ同士が重なるようにたたみ、図８のように斜めに倒せばよく、これで再び図６,７のような偏平状態になる。したがって、次のシーズンまでスペースをとらずに保管できる。
【００２５】
図示するものは本考案の一例であり、これに限定されることなく種々の変更を含む。
１）装飾部体５はツリーに限らず、建物、タワー、多重の塔など種々の形象とし得る。また、装飾部体５は複数の単位装飾部体からなる場合に限定されず、単一であってもよい。
【００２６】
２）装飾部体５の立体化状態の固定は、脚部２の上面と装飾部体５の下面とによる場合に限らない。
図１１のように、装飾部体５をベース１の上面に達し得るように長くし、ベース１の上面に係止用部１ａ，１ａを設け、装飾部体５の下面の硬質片５１に設けた係止用部５１１，５１１を接合してもよい。
これは、たとえばビルディングなどのように地上から直立している形象物を表現したい場合などに好適であり、この場合には天片３は必要としないか用いてもあまり面積を大きくせず、硬質片５１の開口は脚部２を遊挿できる形状寸法とすればよい。
３）装飾部体５は種々の態様をとり得るもので、たとえば、光線が通過できる孔が配されていたり、それに有色のフイルムが張られていてもよい。
【図面の簡単な説明】
【００２７】
【図１】本考案による立体化自在なカードおよび玩具の一実施例を完成使用状態で示す正面図である。
【図２】図１の縦断側面図である。
【図３】装飾部体の底面図である。
【図４】ベースの底面図である。
【図５】（ａ）は脚部の斜視図、（ｂ）は脚部の状態変化を示す断面図である。
【図６】封筒などの包装体に装入した状態を示す平面図である。
【図７】図６のＸ−Ｘ線に沿う断面図である。
【図８】包装体から取り出した初期状態の斜視図である。
【図９】装飾部体を立体化し始めた状態の斜視図である。
【図１０】装飾部体の立体化状態の固定段階を示す斜視図である。
【図１１】（ａ）は装飾部体の連結固定構造の他例を完成途中の状態で示す正面図、（ｂ）は完成状態の部分切欠正面図である。
【符号の説明】
【００２８】
１  ベース
２  脚部
２ａ  枠状体
２ｂ  斜片
２ｃ  弾性部材
３  天片
３ａ  係止用部
４  芯柱部
５  装飾部体  
５ａ、５ｂ、５ｃ  単位装飾部体
５０  中空状可縮性本体
５１  硬質片
５１１  係止用部
【図１】
0003107621.tif 000003
【図２】
0003107621.tif 000004
【図３】
0003107621.tif 000005
【図４】
0003107621.tif 000006
【図５】
0003107621.tif 000007
【図６】
0003107621.tif 000008
【図７】
0003107621.tif 000009
【図８】
0003107621.tif 000010
【図９】
0003107621.tif 000011
【図１０】
0003107621.tif 000012
【図１１】
0003107621.tif 000013